(57)【要約】
【課題】  容易かつ確実に着付けることができるようにする。また、部分的に分離したり外れる不具合を解消するとともに、着付けた際には通常の衣服のような自然な感じを醸し出す。
【解決手段】  遺体Ｈの胸部付近から下方に巻いて着付ける下衣部２と、遺体Ｈの胸部付近から上側に着付ける上衣部３を備え、上衣部３は、左右に位置する左衣部３ｐ及び右衣部３ｑにより構成し、左衣部３ｐは、遺体Ｈの左腕部に巻いて着付ける左袖部４ｐ及び遺体Ｈの左側背部から左肩部を経て左側胸部を包む襟部５ｓｐ付きの左身頃部５ｐを有し、かつ右衣部３ｑは、遺体Ｈの右腕部に巻いて着付ける右袖部４ｑ及び遺体Ｈの右側背部から右肩部を経て右側胸部を包む襟部５ｓｑ付きの右身頃部５ｑを有するとともに、全体を遺体Ｈの下に敷くことができるように１枚のシート状に形成する。
【選択図】  図１
0003100855.tif 000002
【実用新案登録請求の範囲】
【請求項１】
遺体に着付ける遺体用仏衣において、遺体の胸部付近から下方に巻いて着付ける下衣部と、遺体の胸部付近から上側に着付ける上衣部を備え、前記上衣部は、左右に位置する左衣部及び右衣部により構成し、前記左衣部は、遺体の左腕部に巻いて着付ける左袖部及び遺体の左側背部から左肩部を経て左側胸部を包む襟部付きの左身頃部を有し、かつ前記右衣部は、遺体の右腕部に巻いて着付ける右袖部及び遺体の右側背部から右肩部を経て右側胸部を包む襟部付きの右身頃部を有するとともに、全体を遺体の下に敷くことができるように１枚のシート状に形成したことを特徴とする遺体用仏衣。
【請求項２】
前記下衣部の一側端部と前記襟部の一方又は双方には、ヒダ飾部を設けることにより、全体を洋風仏衣に仕上げることを特徴とする請求項１記載の遺体用仏衣。
【請求項３】
前記下衣部と前記左右袖部の一方又は双方には、着付けた際に着付けた状態に固定する面ファスナ等の止着部を有することを特徴とする請求項１記載の遺体用仏衣。
【考案の詳細な説明】
【技術分野】
【０００１】
本考案は、遺体に着付ける遺体用仏衣に関する。
【背景技術】
【０００２】
一般に、火葬を行う前までの遺体には、できるだけ遺体を良い姿にさせるため、遺体用仏衣を着付ける場合も多く、この遺体用仏衣としては、特開２００１−３４８７０６号公報で開示される分割可能な衣服が知られている。
【０００３】
同公報で開示される分割可能な衣服は、後衿を設けた後身頃と、前衿及び前立を設けた前身頃と、左右の袖部とからなる衣服であって、後衿から後身頃にかけて縦方向に左側部と右側部とに二分割し、後衿と後身頃の接合部で着脱自在に係着するように構成したことを特徴とするものであり、これにより、体格の良い遺体に対しても死装束を容易に着付けることができるとともに、その見栄えを良くすることができる。
【特許文献１】特開２００１−３４８７０６号
【考案の開示】
【考案が解決しようとする課題】
【０００４】
しかし、上述した従来の遺体用仏衣は、次のような問題点があった。
【０００５】
第一に、遺体は、通常、両手を胸部付近で組んだ状態にするが、着付ける際に遺体が硬直している場合には、容易に着付けることができないのみならず、着付けることができなくなる事態も生じる。
【０００６】
第二に、分割部を有するため、遺体を移動させたり棺桶に入れる際に、仏衣が分離したり外れやすくなるとともに、衣服として着ている感じが薄れて不自然になりやすい。
【０００７】
第三に、和風の仏衣がほとんどであるため、宗教や思想等に伴う個人的な好みに応えることができないなど、多様性及び汎用性に劣る。
【０００８】
本考案は、このような背景技術に存在する課題を解決した遺体用仏衣の提供を目的とするものである。
【課題を解決するための手段】
【０００９】
本考案は、上述した課題を解決するため、遺体Ｈに着付ける遺体用仏衣１を構成するに際して、遺体Ｈの胸部付近から下方に巻いて着付ける下衣部２と、遺体Ｈの胸部付近から上側に着付ける上衣部３を備え、上衣部３は、左右に位置する左衣部３ｐ及び右衣部３ｑにより構成し、左衣部３ｐは、遺体Ｈの左腕部に巻いて着付ける左袖部４ｐ及び遺体Ｈの左側背部から左肩部を経て左側胸部を包む襟部５ｓｐ付きの左身頃部５ｐを有し、かつ右衣部３ｑは、遺体Ｈの右腕部に巻いて着付ける右袖部４ｑ及び遺体Ｈの右側背部から右肩部を経て右側胸部を包む襟部５ｓｑ付きの右身頃部５ｑを有するとともに、全体を遺体Ｈの下に敷くことができるように１枚のシート状に形成したことを特徴とする。
【考案の効果】
【００１０】
このような構成を有する本考案に係る遺体用仏衣１によれば、次のような顕著な効果を奏する。
【００１１】
（１）  着付ける際に、両手を胸部付近で組んだ状態の遺体Ｈが硬直している場合であっても、容易かつ確実に着付けることができる。
【００１２】
（２）  全体を１枚のシート状に形成したため、遺体Ｈを移動させたり棺桶に入れる場合であっても部分的に分離したり外れる不具合は一切生じないとともに、着付けた際には通常の衣服のような自然な感じを醸し出すことができる。
【考案を実施するための最良の形態】
【００１３】
本考案に係る遺体用仏衣１によれば、最良の形態により、下衣部２の一側端部２ｓと襟部５ｓｐ，５ｓｑの一方又は双方には、ヒダ飾部１１，１２を設けることにより、全体を洋風仏衣に仕上げる。これにより、和風の仏衣がほとんどである中にあって、宗教や思想等に伴う個人的な好みに応えることができるなど、多様性及び汎用性を高めることができる。なお、下衣部２と左右袖部４ｐ，４ｑの一方又は双方には、着付けた際に着付けた状態に固定する面ファスナ等の止着部Ｃｉ…，Ｃｊ…を設ける。これにより、止着部Ｃｉ…，Ｃｊ…を設ける部位の数は少ないも、着付けた際には、遺体用仏衣１が乱れることなく確実に固定できる。
【実施例】
【００１４】
次に、本考案に係る好適な実施例を挙げ、図面に基づき詳細に説明する。
【００１５】
まず、本実施例に係る遺体用仏衣１の構成について、図１及び図２を参照して具体的に説明する。
【００１６】
本考案に係る遺体用仏衣１は、図１に示すように、全体を遺体Ｈの下に敷くことができるように１枚のシート状に形成する。素材は特に問わず、通常の衣類と同様の繊維類を用いることができる。シート状に形成した遺体用仏衣１は、下側に位置する下衣部２と上側に位置する上衣部３を備える。なお、遺体用仏衣１の位置は、遺体Ｈに対して遺体Ｈの頭部側が上側となり遺体Ｈの足部側が下側となる。そして、下衣部２は、遺体Ｈの胸部付近から下方に巻いて着付けることができるように矩形に形成し、図１中における右側端部（一側端部）２ｓには、ヒダ飾部１１を設ける。
【００１７】
また、上衣部３は、下衣部２の上端部（上端辺）の中央部位に対して、所定幅を有する連続部分を介して一体化させる。上衣部３は、左右に位置する左衣部３ｐと右衣部３ｑにより構成し、遺体Ｈの胸部付近から上側に着付けることができる。この場合、左衣部３ｐは、Ｌ形に形成し、遺体Ｈの左腕部に巻いて着付ける横方向に形成した左袖部４ｐ及び遺体Ｈの左側背部から左肩部を経て左側胸部を包む縦方向に形成した左身頃部５ｐを有するとともに、右衣部３ｑは、逆Ｌ形に形成し、遺体Ｈの右腕部に巻いて着付ける横方向に形成した右袖部４ｑ及び遺体Ｈの右側背部から右肩部を経て右側胸部を包む縦方向に形成した右身頃部５ｑを有する。これにより、左衣部３ｐと右衣部３ｑ間には、上端から下方向に沿ったＵ形の切欠が形成されるとともに、このＵ形の切欠の内辺が襟部５ｓｐ，５ｓｑとなり、この襟部５ｓｐ，５ｓｑには、連続したヒダ飾部１２を設ける。
【００１８】
さらに、下衣部２及び左右袖部４ｐ，４ｑには、着付けた際に着付けた状態に固定する面ファスナ（止着部）Ｃｉ…，Ｃｊ…を設ける。これにより、対をなして配された面ファスナＣｉ…とＣｊ…がそれぞれ着脱（止着又は離脱）する。一方、所定長さの帯紐１５を用意する。この帯紐１５は、必要により、中央部を、遺体用仏衣１の後面に固定してもよいし、別途に用意してもよい。
【００１９】
なお、図１中、ｋ…は、別々に形成した複数のシート材を組合わせて遺体用仏衣１を構成する場合の接合部或いはシート材の折返部の縫目（合せ目）を示している。このような構成により、遺体用仏衣１は、全体が洋風仏衣に仕上げられる。したがって、本実施例に係る遺体用仏衣１によれば、和風の仏衣がほとんどである中にあって、宗教や思想等に伴う個人的な好みに応えることができるなど、多様性及び汎用性を高めることができる。
【００２０】
次に、本実施例に係る遺体用仏衣１の着付け方法について、図１〜図６を参照して説明する。
【００２１】
まず、遺体用仏衣１は、図１に示すように、裏面を上にすることにより全体を広げて布団等の上に敷く。そして、敷いた遺体用仏衣１の上に遺体Ｈを載せる。遺体用仏衣１に対する遺体Ｈの位置は、図１に仮想線で示す。
【００２２】
次いで、図３に示すように、下衣部２の右側を持ち上げ、遺体Ｈの胸部付近から下方を巻いて包むようにし、下衣部２の右側を遺体Ｈの上に載せる。他方、図４に示すように、下衣部２の左側を持ち上げ、遺体Ｈの胸部付近から下方を巻いて包むようにし、下衣部２の左側を遺体Ｈ（下衣部２の右側）の上に載せる。この際、図４に示すように、遺体Ｈに着付けた状態で相対応する面ファスナＣｉとＣｊ同士を固着する。この後、図２に示すように、帯紐１５を遺体Ｈの上で結ぶ。
【００２３】
次いで、図５に示すように、右衣部３ｑの右身頃部５ｑを持ち上げ、遺体Ｈの上に折り返す。即ち、右衣部３ｑは、遺体Ｈの右側背部から右肩部を経て右側胸部を包むように折り返すとともに、右身頃部５ｑの先端側を遺体Ｈの右側胸部の上に載せる。また、この際、右袖部４ｑは、遺体Ｈの右腕部に巻いて着付けるとともに、図５に示すように、着付けた状態で相対応する面ファスナＣｉとＣｊ同士を固着する。なお、図５は、着付け方法を説明するため、右袖部４ｑは、二つ折りになった状態を示すが、実際には、図２に示すように、曲げた状態の右腕部に着付けることになる。
【００２４】
一方、左衣部３ｐも同様に、左身頃部５ｐを持ち上げて、図６に示すように、遺体Ｈの上に折り返す。即ち、左衣部３ｐは、遺体Ｈの左側背部から左肩部を経て左側胸部を包むように折り返すとともに、左身頃部５ｐの先端側を遺体Ｈの左側胸部（右身頃部５ｑの先端側）の上に載せる。また、この際、左袖部４ｐは、遺体Ｈの左腕部に巻いて着付けるとともに、図６に示すように、着付けた状態で相対応する面ファスナＣｉとＣｊ同士を固着する。この場合、左袖部４ｐは、図２に示すように、曲げた状態の左腕部に着付けることになる。この点は、上述した右袖部４ｑの場合と同じである。
【００２５】
よって、図２に示すように着付けることができる。このように、本実施例に係る遺体用仏衣１によれば、着付ける際に、両手を胸部付近で組んだ状態の遺体Ｈが硬直している場合であっても、極めて容易かつ確実に着付けることができる。また、遺体用仏衣１は、全体を１枚のシート状に形成するとともに、特に、着付けた際には、図２に示すように、ヒダ飾部１１と１２は、その位置が右側に寄ることにより連続する位置関係になるとともに、下衣部２の上端辺は、遺体Ｈにおける組んだ状態の左腕部と右腕部に隠れるため、通常の衣服のような自然な感じを醸し出すことができる。しかも、遺体Ｈを移動させたり棺桶に入れる場合であっても部分的に分離したり外れる不具合は一切生じない。さらに、面ファスナＣｉ…，Ｃｊ…は、下衣部２の二カ所と左右袖部４ｐ，４ｑの四カ所に設けただけであり、設ける部位の数は少ないも、着付けた際には、遺体用仏衣１が乱れることなく確実に固定できる。
【００２６】
以上、実施例について詳細に説明したが、本考案は、このような実施例に限定されるものではなく、細部の構成，形状，素材，数量等において、本考案の要旨を逸脱しない範囲で、任意に変更，追加，削除することができる。
【図面の簡単な説明】
【００２７】
【図１】本考案の好適な実施例に係る遺体用仏衣を広げた状態の形状図、
【図２】同遺体用仏衣を遺体に着付けた状態を示す平面図、
【図３】同遺体用仏衣の着付け方法を説明するための第一説明図、
【図４】同遺体用仏衣の着付け方法を説明するための第二説明図、
【図５】同遺体用仏衣の着付け方法を説明するための第三説明図、
【図６】同遺体用仏衣の着付け方法を説明するための第四説明図、
【符号の説明】
【００２８】
１      遺体用仏衣
２      下衣部
２ｓ    下衣部の一側端部
３      上衣部
３ｐ    左衣部
３ｑ    右衣部
４ｐ    左袖部
４ｑ    右袖部
５ｐ    左身頃部
５ｓｐ  襟部
５ｑ    右身頃部
５ｓｑ  襟部
１１    ヒダ飾部
１２    ヒダ飾部
Ｈ      遺体
Ｃｉ…  止着部（面ファスナ）
Ｃｊ…  止着部（面ファスナ）
【図１】
0003100855.tif 000003
【図２】
0003100855.tif 000004
【図３】
0003100855.tif 000005
【図４】
0003100855.tif 000006
【図５】
0003100855.tif 000007
【図６】
0003100855.tif 000008